(57)【特許請求の範囲】
【請求項１】
帯状の正極板と負極板とセパレータからなり、前記正極板の先端部分が上方へ突出し、前記負極板の先端部分が下方へ突出するように渦巻状に巻回された極板群と、前記極板群を内部に収納した金属ケースと、前記金属ケースの上部を封口するとともに上方にキャップ状の端子を備えた封口板と、アルカリ電解液とからなる円筒型アルカリ蓄電池において、前記封口板が中央にガス抜き穴を有する円板状のフィルターと、ガス抜き穴を有するキャップ状端子と、前記キャップ状端子の中央部に配されるとともに前記フィルターで挟持されたゴム弁体からなり、前記フィルターの中央部のガス抜き穴の形状が略長円形あるいは略長方形である円筒型アルカリ蓄電池。
【発明の詳細な説明】
【０００１】
【発明の属する技術分野】
本発明は円筒型アルカリ蓄電池において、その封口板形状による電池安全性能の向上を可能とする構成に関する。
【０００２】
【従来の技術】
円筒型アルカリ蓄電池には種々あるが、ニッケル−カドミウム蓄電池やニッケル−水素蓄電池等が代表的であり、これらは信頼性が高く、そのメンテナンスも容易であることから、携帯電話やノートパソコン等の各種用途に幅広く使用されている。また、近年では、ますます小型化が進み、円筒型アルカリ蓄電池も一層の小型化・大容量化が要望されている。
【０００３】
従来、このような円筒型アルカリ蓄電池に使用されている封口板は、主にキャップ、弁体、およびフィルターからなり、キャップはフィルターに弁体を挟んでかしめあるいは溶接により固定されている。フィルターの中央部には、図５の模式図に示すように円形のガス抜き穴３ｃを有する。
【０００４】
【発明が解決しようとする課題】
しかしながら、従来、電池の高容量化を目指すために、電池内空間を広く取る必要があり、封口板部品であるキャップやフィルターの薄型化を図る場合、電池内圧に対するフィルター強度が不足し、その封口部品の反りにより、中央のガス抜き穴が円形であるため、輪郭全体が弁体に押し付けられ、弁作動圧を上昇させる、また、最悪の場合は弁作動しなくなるということが課題となっていた。
【０００５】
本発明は、上記課題を解決するものであり、電池内圧に対するフィルターの強度不足をカバーするものであり、大容量で安全性の高い円筒型アルカリ蓄電池を提供することを目的とする。
【０００６】
【課題を解決するための手段】
本発明は上記目標を達成するために、円筒型アルカリ蓄電池において、封口板を構成する円板状のフィルターの中央部にあるガス抜き穴が略長円形あるいは略長方形としたものであり、従来の封口板より電池内圧によるフィルター反り時の排気性を向上させて、安全性を向上した円筒型アルカリ蓄電池を提供するものである。
【０００７】
【発明の実施の形態】
本発明の請求項１に記載の発明は、帯状の正極板と負極板とセパレータからなり、正極板の先端部分が上方へ突出し、負極板の先端部分が下方へ突出するように渦巻状に巻回された極板群と、前記極板群を内部に収納した金属ケースと、前記金属ケースの上部を封口するとともに上方にキャップ状の端子を備えた封口板とからなる円筒型アルカリ蓄電池において、前記封口板が中央にガス抜き穴を有する円板状のフィルターと、ガス抜き穴を有するキャップ状端子と、前記キャップ状端子の中央部に配されるとともに前記フィルターで挟持されたゴム弁体からなり、前記フィルター中央部のガス抜き穴が略長円状あるいは長方形である円筒型アルカリ蓄電池としたものであり、前記フィルターのガス抜き穴の形状が略長円状あるいは略長方形であるため、電池内圧により、フィルターが反っても前記ガス抜き穴の輪郭が歪むため、同一面で押さえることはなく、ガス抜き穴の中心付近の押え圧に対し、ガス抜き穴の長手方向端部の押え圧の方が弱くなり、従来の円形のガス抜き穴に比べて排気しやすいという作用を有する。
【０００８】
【実施例】
次に、本発明の具体的な実施例について説明する。
【０００９】
図１に本発明の実施例における円筒型アルカリ蓄電池の断面図を示し、以下にその詳細を説明する。
【００１０】
キャップ１の中央部に弁体２が配置され、フィルター３で挟まれ固定され封口板を形成している。キャップ１の側壁には、二つのガス抜き穴１ａを有し、またフィルター３の中央には、図２の模式図に示すように長方形のガス抜き穴３ａを有する。
【００１１】
封口板は、キャップ１の鍔部１ｂとフィルター３がポリプロピレン製のガスケット４に狭持され、金属ケース５によって内方へかしめられている。
【００１２】
スポンジ状金属多孔体に、水酸化ニッケル粉末を主体としたペーストを充填した正極板６と穿孔金属板に水素吸蔵合金粉末を主体としたペーストを塗着した負極板７の両者間にセパレータ８を介在させて渦巻状に巻回させて極板群を形成し、この極板群は金属ケース５内に収納されている。極板群には、アルカリ電解液が注入されている。
【００１３】
正極板６の金属多孔体にはニッケル製のリード板９の一端が溶接され、フィルター９の極板群側にはリード板９の他端が溶接されている。
【００１４】
負極板７の穿孔金属にはニッケル製のリード板１０の一端が溶接され、金属ケース５の内底部にはリード板１０の他端が溶接されている。
【００１５】
金属ケース５と極板群の接触を防止するために絶縁リング１１が極板群の上に設置されている。
【００１６】
上記に示した本発明の実施例の電池は、異常使用などによりその電池内圧が上昇し、フィルター３が反った場合、図３の封口板の模式断面図に示すようにフィルター３が球面状に反る。この反りは、その中心部が最も反り量が大きくなり、円周方向に行くに従って反り量は小さくなる。従って、フィルター３のガス抜き穴を図２で示したように長方形にすることにより、長方形のガス抜き穴の中央部は反り量が大きく、それによる弁体圧縮も大きいが、長手方向の端部は反り量も小さく、弁体圧縮量も小さくなる。これにより、ガス抜き穴の中央部と長手方向端部で弁体圧縮量の差ａが生じ、同じ内圧が加わってフィルターが変形した場合でも、ガス抜き穴の長手方向端部でのガス排気性を十分に保つことができる。
【００１７】
上記実施例では、図３に示すように、フィルター３のガス抜き穴としては、長方形のガス抜き穴３ａを設けたが、ガス抜き穴の形状としては、図４の模式図に示すように長円形３などでもよく、フィルターが球面上に反った時に、その穴輪郭部が同一平面にならない形状である略長円形や略長方形であれば実施例とほぼ同様な効果が得られる。
【００１８】
【発明の効果】
以上のように本発明によれば、電池内圧の異常な上昇による封口板のフィルター反りに対する電池内のガス排気性を向上させて、優れた安全性を有する円筒型アルカリ蓄電池を提供できる。
【図面の簡単な説明】
【図１】本発明の実施例における円筒型アルカリ蓄電池の断面図
【図２】同フィルター３のガス抜き穴３ａの模式図
【図３】同電池が異常時におけるフィルター３の反り状態を示す封口板の模式図
【図４】同フィルター３のガス抜き穴の形状を示す模式図
【図５】従来の円筒型アルカリ蓄電池のフィルター３のガス抜き穴の形状を示す模式図
【符号の説明】
１  キャップ
２  弁体
３  フィルター
３ａ  長方形のガス抜き穴
３ｂ  四角形のガス抜き穴
３ｃ  長円形のガス抜き穴
３ｄ  従来の円形のガス抜き穴
４  絶縁ガスケット
５  金属ケース
６  正極板
７  負極板
８  セパレータ
９  リード板
１０  リード板
１１  絶縁リング
【図１】
0003627584.tif 000002
【図２】
0003627584.tif 000003
【図３】
0003627584.tif 000004
【図４】
0003627584.tif 000005
【図５】
0003627584.tif 000006